(57)【要約】      （修正有）【課題】迅速にネジ締めを行うことができるとともに、増し締めせずに固定できるＬ型一つ穴式一段ボルトを提供する。【解決手段】Ｌ型一つ穴式一段ボルトは、予めナツトｌを挿入、部材をＬ３近くに移動、それからＬ１に半固定部材により、ネジを切りながら挿入し、完全に固定する。それからＡにストツパーピンを差し入み、それからＬ１にワツシヤ、スプリングワツシヤ、必要に応じて、スプリングナツトを挿入して完全に固定する。【選択図】図１
0003228566.tif 000002
【実用新案登録請求の範囲】
【請求項１】
ボルトにＬ型の形状をもち、軸に一つ穴と一段差があるのを設けたＬ型一つ穴式一段ボルトで強度的にも非常にすぐれた素材を持ちます。
【請求項２】
ボルトのネジ山クランク角３７度をしようし、なくてはならないボルトであります。その他電気的に非常に良い持続性が増します。
【請求項３】
ボルトの素材としては、ＳｉＣ半導体、シリコン半導体を使用する事で無限の可能性のあるボルトになるのです。
【請求項４】
ボンデイング性、反射性、電気電導性、装飾性、その他大変有効に使用され、水圧、超低音、塩害、腐食性、振動、衝撃に充分耐久力と持続性が増します。
【請求項５】
本考案のボルトは、折れ曲がり、切断、引っ張り、圧縮に対し持続力が約束され、金属疲労にも耐久力性がある。
ボルトプラスメツキ処理する組み合わせが大切です。
【請求項６】
又座金に、内歯・外歯ワツシヤを組み合わせると大変有効に扱かえます。ボルト自体の振動、ゆるみに対して迅束に対応します。
【請求項７】
ネジの軸力とスプリングナツト・ワシシヤを組み合わせる事で、ヘルニアの方でも、腰痛にも大変良い効果を生み出します。
【請求項８】
ボルト頭部と軸力に応力が生じ、降じよう点までは軸力に耐久性を増す為に弾性域に於いてボルト軸に一つ穴を設けた。
【請求項９】
ねじの締付け軸力が降じよう点を超えると、軸力に対して急激に伸びが増加する性質を利用した締め付方法により、緩みガタを軽減するボルトである。
【請求項１０】
腐食性、振動、衝撃、その他の部類に於いて大変有効に使用されるステンレス鋼ＳＵＳ３０４を使用します。
【請求項１１】
ボルト頭部、軸部にナツトを組み合わせ、これにサシ金で固定をします。これに加え、ボルト頭部と軸部のさかい目に負荷と内歯・外歯ワツシヤ、スプリングナツトを加えたＬ型一つ穴式一段ボルトである。
【請求項１２】
ボルトの材質をゲルマニウムメツキ素材を使用する事で、水圧、持続性、耐久力により、ひずみが生じるのを防ぎます。
ボルト軸とボルト頭部にひずみが生じた時は、弾性素材、塑性伸びによりボルトが破壊寸前まで、持続性  耐久性、又その他のおこりうる事態に対処するのである。
【考案の詳細な説明】
【考案の詳細な説明】
【０００１】本考案は、ボルトにワツシヤスプリングナツトを設けた、ボルトに関するものである。
【背景技術】
【０００２】ボルト軸部、ワツシヤ、スプリングにより組み合わせによることは別々に成って居た。
【先行技術文献】
【特許文献】
【０００３】Ｆ２４  ７／００（２００６、０１）
【特許文献１】
【０００４】Ｆ２７Ｆ  ７／００  Ａ
【非特許文献】
【考案の概要】
【考案が解決しようとする課題】
【０００５】Ｈ、正三角形  ４０ｍｍ  Ｌ１、１８ｍｍ  Ｌ２、２５ｍｍ  Ｌ３、１５ｍｍ  ナツト、２８ｍｍボルト頭部近くに内歯・外歯ワツシヤ、スプリングナツトにより構成され、ヘルニアに対し腰痛かんわががあり迅速に作業能率アツプにつなげます。
【課題を解決するための手段】
【０００６】本考案は、ボルト頭部に正三角形を設け、正三角形とＬ型工具を用いネジしめが自在となるようにし、負荷とワツシヤ、スプリングナツトを用いて、迅速且つ合理的に行う事が可能です。
【考案の効果】
【０００７】上述の様に本考案のＬ型一つ穴式一段ボルトはボルト本体に工具を使用することは勿論、負荷に対する荷重はそ性、弾性により、時計方向とは逆回わりの左ネジである。
【図面の簡単な説明】
【０００８】
【図１】本考案のＬ型一つ穴式一段ボルトの実施例を示す側面図である。
【図２】本ボルトの平面図である。
【０００９】ボルト本体、頭部Ｂ、一辺７ｍｍの正三角形にＬ型工具を当て、固定しネジを左方向に回わしボルトを固定して、ネジをゆるめたりすることも自在である。【００１０】Ａ、２、５ｍｍ〜３、７ｍｍ  Ｂ、６、５ｍｍ〜７ｍｍ（一辺の長さ）ボルト軸は弾性素材を示し、Ｈはそ性素材を示すものです。【００１１】Ｌ２、Ｌ１のネジ山は頂点で台形のかたちを示し、ピツチが０、７ｍｍ、ボルト軸がＭ４である。【００１２】本考案の実施例は上述の如き構成からなるものであるから、ボルト軸部に左側にワツシヤ、スプリングナツト、これに負荷も加え持ち、ボルト自体の強い振動、衝撃、水圧  超低音、塩害、腐食性に充分に耐久力がある。【００１３】食料品、工業製品、印刷業、医学用、リハビリテーシヨンでの応用があり、多種多様に使用され、車用の座席のボルトにはなくてはならない商品になります。【００１４】ボルト軸部、ボルト頭部、差し金にステンレス鋼が使用されると、非常に丈夫で、耐久力、持続力が約束されます。【００１５】Ｌ１、Ｌ２のクランク角７５度の角度で頂点が台形の形をしネジであり、は車の様なかみ合わせが有ります。【００１６】Ｌ１、Ｌ２のクランク角が左右、上下にネジが切れて行く、ネジの持つ本来の切れかすは全く無く、ゴミやかすが付くことが全く無くネジのめネジ、雄ネジはとても良いのである。【００１７】自動車、油圧関係、土木・建築関係、その他の部類に使用され、本考案Ｌ型一つ穴式一段ボルトが大変重要な役わりを成すのである。【００１８】ボルト軸部、弾性素材を示し、目的に応じて、非常に耐久力も増し持続する。本考案Ｌ型一つ穴式一段ボルトは、そ性素材と弾性素材を同時にもつものである。【００１９】本考案のボルトは、何よりも人体に対しては振動、衝撃を与える事が無くて済み、腰痛持ちの方、にんぷさんに大変喜んでいただけるボルト・ネジであります。【００２０】ＳｉＣ半導体、ステンレス鋼、ゲルマニウムメツキ素材を必要なところに使用する事で耐久性、持続性、そしてネジが緩むことが全く無いのである。その上サビや腐食に強いのが特徴です。【００２１】又、絶緑性も他の素材と変わらぬ程に大変すぐれ、電気関連の際に使用する事で半導体素材を使用する事で各種多様となるニーズにこたえるのである。【００２２】ボルト頭部、ボルト軸にステンレス鋼を使用する事でサビに強くダイアモンドのようなかたさを持ち、耐久力、持続力が維持される。【００２３】ゲルマニウムメツキ素材であるので、人体にやさしく、強度の面でもすぐれ、軽量、小型、安価が約束されます。【００２４】各種工業部門に於いてかなり多く使用されていき、精密機械やその他の部品として使用されつずけ一度使用するとなくてならない重要なボルトである。【００２５】ボルト・ネジを高電圧素材に使用され、安全性が約束される。ゲルマニウム素材、ＳｉＣ半導体をボルトとして使用され続けます。【００２６】Ａ、フエライト磁石を使用する事で、ストツパーピンはいっこうに落下する事はあり得ません。
この磁石は、水容液に強いので良い、効果てきめんである。【００２７】ボルト軸部が振動、変動的な荷重を受けているうちに、その一部に非常に微細な亀裂がはいり、この亀裂が荷重のくり返しにつれて除々に拡大して行き、局部的な破壊となります。本考案Ｌ型ボルト一つ穴式一段ボルトを使用する事で大変有益であります。【００２８】超高・低温域での使用に適したゲルマニウム・メツキ素材は、大変すぐれています。その上丈ぶで有り、ダイアモンドの様なかたさがあります。【００２９】ボルト頭部にある正三角形は、Ｌ型の工具を使用する事で、迅速、正確、安定、簡単に行う為である。
一辺６、５〜７ｍｍの正三角形です。【００３０】ＳｉＣ半導体素材を使用すると耐電圧に適し、大変有効に使用され、負荷に対するボルトだけでなくニーズにマツチした電気用具用のボルトとして利用される。【００３１】１種  Ｍ４  ７ｍｍ  ナツト  ３、２ｍｍによるねじの呼び径（ｄ）である。
２種  Ｍ４  ７ｍｍ  ナツト  ３、２ｍｍによるねじの呼び径（ｄ）である。【００３２】ねじ山とねじ山の間隔。ピツチ１、０なら、山間隔が１、０ｍｍです。
ワツシヤは薄手で、２枚を使用、スプリングナツトを設ける。
ゆるみやガタがありません。【００３３】Ｌ３、１５〜２０ｍｍのネシ径をほどこして行い内歯ワツシヤ・外歯ワツシヤとスプリングナツトを使用し、又負荷へのニーズに答えるものである。【００３４】Ｌ３、スプリングワツシヤを付けます。ねじを緩みにくくしていきます。又、脱落しにくくできる。その他絶緑としても活用します。【００３５】スプリングワツシヤーにステンレス−ＳＵＳ３０４を使用する事で激しい振動、衝撃などに充分に耐え抜き緩みやガタに大変強度を増します。
【図１】
0003228566.tif 000003
【図２】
0003228566.tif 000004
【手続補正書】
【提出日】令和2年6月26日(2020.6.26)
【手続補正１】
【補正対象書類名】実用新案登録請求の範囲
【補正対象項目名】全文
【補正方法】変更
【補正の内容】
【実用新案登録請求の範囲】
【請求項１】
ボルト頭部にＬ型の形状をもち、軸に一つの穴と一段差があり負荷に対する耐久力性、持続性にすぐれたことを特徴とするＬ型一つ穴式一段ボルト。
【請求項２】
ボルトのネジ山クランク角３７度を持ち、効用  効果にすぐれ持続性が増すことを特徴とする請求１に記載のＬ型一つ穴式一段ボルト。
【請求項３】
ボルトの素材に鉄、ステンレス鋼、半導体を使用し強度的、持続性が増すことを特徴とする請求項１に記載のＬ型一つ穴式一段ボルト。
【請求項４】
物理的に水圧、超低音、塩害、腐食性、振動  衝撃、応力、ひずみなどに非常にすぐれたこと特徴とする請求項１に記載のＬ型一つ穴式一段ボルト。
【請求項５】
ボルトとして、使用される時引っ張り、圧縮、応力に対して非常にすぐれた効果をうみ出し、耐久性があることを特徴とする請求項３又は４に記載のＬ型一つ穴式一段ボルト。
【請求項６】
ワツシヤと座金を組み合わせると大変有効に扱えることを特徴とする請求項１に記載のＬ型一つ穴式一段ボルト。
【請求項７】
スプリングナツト・ワツシヤを組み合わせる事で、人体に対しての非常に良いことを特徴とする請求項１に記載のＬ型一つ穴式一段ボルト。
【請求項８】
弾性とそ性域に非常にすぐれ、持続性、耐久性に良い長所があることを特徴とする請求項１に記載のＬ型一つ穴式一段ボルト。
【請求項９】
ボルト頭部近くに座金、ワツシヤ、スプリングナツトを組み合わせることにより、ゆるみ、ガタ、振動を軽減できることを特徴とする請求項６又は７に記載のＬ型一つ穴式一段ボルト。
【請求項１０】
腐食性、振動、衝撃に耐久性があり、又ステンレス鋼を使用することで強度的に増すことを特徴とする請求項１に記載のＬ型一つ穴式一段ボルト。
【請求項１１】
ボルト頭部、軸部にワツシヤ・スプリングナツトを組み合わせ、これにサシ金で完全に固定することを特徴とする請求項９又は１０に記載のＬ型一つ穴式一段ボルト。
【請求項１２】
ボルト頭部、軸部に於いて弾性、塑性域により破壊寸前まで、強度的に非常にすぐれたことを特徴とする請求項１に記載のＬ型一つ穴式一段ボルト。